(57)【要約】【課題】  本発明は平衡伝送用ケーブルコネクタ装置に関し、一枚のボードと複数枚のボードとの間の接続に使用できるようにすることを課題とする。【解決手段】  単一の一端側平衡伝送用コネクタ４０と、一端側コネクタ４０の背面より延びている３本の第１、第２、第３の平衡伝送用ケーブル１００−１、１００−２、１００−３と、各平衡伝送用ケーブル１００−１、１００−２、１００−３の先端の３つの他端側平衡伝送用コネクタ１１０−１、１１０−２、１１０−３とよりなる。【選択図】  図２
2005190691.tif 000002
【特許請求の範囲】
【請求項１】
平衡伝送用ケーブルの両端にコネクタを備えた構成の平衡伝送用ケーブル付きコネクタ装置において、
端子が整列してある絶縁ブロックよりなるコネクタ本体がシールドカバー組立体内に組み込んであり、該シールドカバー組立体は、その背面壁部に平衡伝送用ケーブルが通るケーブル通し開口を複数個有する構成である、単一の一端側コネクタと、
一端を該一端側コネクタのコネクタ本体と接続されており、各ケーブル通し開口より出て外部に延在している複数本の平衡伝送用ケーブルと、
各平衡伝送用ケーブル毎にその先端に設けてある複数の他端側コネクタとよりなる構成としたことを特徴とする平衡伝送用ケーブル付きコネクタ装置。
【請求項２】
請求項１に記載の平衡伝送用ケーブル付きコネクタ装置において、
上記単一の一端側コネクタは、
該シールドカバー組立体の背面壁部が、屈曲している形状であり、且つ、各ケーブル通し開口が、異なる方向を向いている構成であり、
上記複数の平衡伝送用ケーブルが上記一端側コネクタより異なる方向に延在している構成としたことを特徴とする平衡伝送用ケーブル付きコネクタ装置。
【請求項３】
請求項１又は請求項２に記載の平衡伝送用ケーブル付きコネクタ装置において、
上記単一の一端側コネクタを構成するシールドカバー組立体は、
ケーブル通し開口が複数形成してあるケーブル通しガイド部材と、
該ケーブル通しガイド部材を保持して組合わされる上下のハーフカバー部材とよりなる構成としたことを特徴とする平衡伝送用ケーブル付きコネクタ装置。
【請求項４】
請求項３に記載の平衡伝送用ケーブル付きコネクタ装置において、
該ケーブル通しガイド部材は、一対の半体を組み合わせてなる構造であることを特徴とする平衡伝送用ケーブル付きコネクタ装置。
【発明の詳細な説明】
【技術分野】
【０００１】
本発明は平衡伝送用ケーブル付きコネクタ装置に係り、特に、コンピュータ装置の内部で、一つのボードと別のボードとの間の接続に使用される平衡伝送用ケーブル付きコネクタ装置に関する。
【０００２】
ここで、平衡伝送とは、データごとに対をなす二本の電線を使用して、伝送すべき＋信号とこの＋信号とは大きさが等しく逆向きの−信号とを同時に伝送する方式である。平衡伝送は、データごとに一本の電線を使用する通常の伝送方式に比べてノイズの影響を受けにくいという利点を有しており、コンピュータ装置におけるデータの伝送に多く採用されつつある。
【０００３】
平衡伝送用ケーブル付きコネクタ装置とは、平衡伝送に適した構造である平衡伝送用ケーブルの両端に、多数の端子が平衡伝送に適した配置となっている平衡伝送用コネクタが設けてあるものをいう。
【背景技術】
【０００４】
従来の平衡伝送用ケーブル付きコネクタ装置１は、図１（Ａ）に示すように、一本の平衡伝送用ケーブル２の両端に平衡伝送用コネクタ３，４が設けてある構成である。この平衡伝送用ケーブル付きコネクタ装置１は、図１（Ｂ）に示すように、例えばコンピュータ装置１０の内部で、垂直のボード１１と水平のボード１２との間を接続するのに使用される。
【発明の開示】
【発明が解決しようとする課題】
【０００５】
コンピュータ装置は、機種の多様化等に伴なって、内部に組み込まれるボードの種類が相違してきている。このため、ボード間の接続は、一つボードと一つボードとの間に限らず、一つボードと二つ或いは三つのボードとの間であることもありうる。
【０００６】
従来の平衡伝送用ケーブル付きコネクタ装置１を使用して、図１（Ｃ）に示すように、一つボード２０と例えば三つのボード２１，２２，２３との間を接続しようとする場合には、三つの平衡伝送用ケーブル付きコネクタ装置１を使用することが必要となり、煩雑となってしまう。また、ボード２０についてみると、コネクタの占める面積が増えてしまう。
【０００７】
そこで、本発明は上記課題を解決した平衡伝送用ケーブル付きコネクタ装置を提供することを目的とする。
【課題を解決するための手段】
【０００８】
本発明は、平衡伝送用ケーブルの両端にコネクタを備えた構成の平衡伝送用ケーブル付きコネクタ装置において、
端子が整列してある絶縁ブロックよりなるコネクタ本体がシールドカバー組立体内に組み込んであり、該シールドカバー組立体は、その背面壁部に平衡伝送用ケーブルが通るケーブル通し開口を複数個有する構成である、単一の一端側コネクタと、
一端を該一端側コネクタのコネクタ本体と接続されており、各ケーブル通し開口より出て外部に延在している複数本の平衡伝送用ケーブルと、
各平衡伝送用ケーブル毎にその先端に設けてある複数の他端側コネクタとよりなる構成としたものである。
【発明の効果】
【０００９】
本発明によれば、単一の一端側コネクタから複数本の平衡伝送用ケーブルが延びており、各平衡伝送用ケーブルの先端に他端側コネクタが設けてある構成であるため、一端側コネクタを一つのボード上のコネクタに差し込んで接続し、他端側コネクタを別々のボード上のコネクタに差し込んで接続することによって、一つのボードと複数のボードとの間を、簡単に接続することが出来る。
【発明を実施するための最良の形態】
【００１０】
（実施例１）
図２（Ａ）は本発明の実施例１になる平衡伝送用ケーブル付きコネクタ装置３０を示す。コネクタ装置３０は、単一の一端側平衡伝送用コネクタ４０と、一端側コネクタ４０の背面より延びている３本の第１、第２、第３の平衡伝送用ケーブル１００−１、１００−２、１００−３と、各平衡伝送用ケーブル１００−１、１００−２、１００−３の先端の３つの他端側平衡伝送用コネクタ１１０−１、１１０−２、１１０−３とよりなる構造である。一端側平衡伝送用コネクタ４０は平衡伝送用端子を例えば２４ペア備えた構造であり、各平衡伝送用ケーブル１００−１、１００−２、１００−３は夫々平衡伝送用電線を８本有する構成であり、他端側平衡伝送用コネクタ１１０−１、１１０−２、１１０−３は夫々平衡伝送用端子を８ペア備えた構造である。即ち、根元の２４ペアが８ペアずつ３つに枝分かれしている構造である。
【００１１】
このコネクタ装置３０は、図２（Ｂ）に示すように、内部に一つ垂直のボード２０と三つの水平のボード２１，２２，２３とが設けてあるコンピュータ装置１０の内部で、ボード２０とボード２１，２２，２３とを電気的に接続するのに使用される。一端側平衡伝送用コネクタ４０がボード２０上のコネクタ２０ａに嵌合されて接続してある。他端側平衡伝送用コネクタ１１０−１、１１０−２、１１０−３は夫々ボード２１，２２，２３上のコネクタ２１ａ、２２ａ，２３ａに嵌合されて接続してある。これによって、一つのコネクタ装置３０でもって、一つ垂直のボード２０と三つの水平のボード２１，２２，２３とが電気的に接続される。
【００１２】
平衡伝送用ケーブル１００−１は、図５及び図７に示すように、８本の電線１０４が束ねられて、シールド編み線１０５と絶縁被覆１０６とで覆われており、且つ、各電線１０４が、対をなす第１、第２の導線１０１、１０２とドレイン線１０３とを有する構造である。端部には、ケーブル止め具１０７がかしめてある。他の平衡伝送用ケーブル１００−２、１００−３も、上記の平衡伝送用ケーブル１００−１と同じ構造である。
【００１３】
次に、一端側平衡伝送用コネクタ４０について説明する。
【００１４】
図３、図４、図５は一端側平衡伝送用コネクタ４０を示す。Ｘ１−Ｘ２は幅方向、Ｙ１−Ｙ２は長手方向、Ｚ１−Ｚ２は高さ方向である。一端側平衡伝送用コネクタ４０は、プラグ型であり、プラグ型のコネクタ本体５０がシールドカバー組立体６０内のうちＹ２側に組み込まれている構造である。
【００１５】
コネクタ本体５０は、図４、図５及び図７に併せて示すように、絶縁ブロック５１と二段構造の中継基板５２，５３等よりなる。絶縁ブロック５１は、多数の貫通穴５１ａを有し、且つ、Ｙ２側に突き出し部５１ｂを有する。中継基板５２，５３のＹ２側には、信号端子５４Ｓ１，５４Ｓ２及びグランド端子５５Ｇが突き出ており、所定の配列でＸ１−Ｘ２方向に並んでいる。中継基板５２，５３のＹ１側には、平衡伝送用ケーブル１００−１、１００−２、１００−３の端から延びている電線７４の端から更に延びている第１、第２の導線１０１、１０２とドレイン線１０３とが、半田付けしてある。信号端子５４Ｓ１，５４Ｓ２及びグランド端子５５Ｇが絶縁ブロック５１のＹ１側より貫通穴５１ａに挿入されている。信号端子５４Ｓ１，５４Ｓ２及びグランド端子５５Ｇは、絶縁ブロック５１のＹ２側に突き出しており、突き出し部５１ｂの上下の溝内に嵌合してあり、Ｘ１−Ｘ２方向に並んでいる。
【００１６】
シールドカバー組立体６０は、図３、図４、図５に示すように、上側ハーフカバー部材７０と、下側ハーフカバー部材８０と、ケーブル通しガイド部材９０とよりなり、間に配置されたケーブル通しガイド部材９０が上側ハーフカバー部材６１と下側ハーフカバー部材６２でもって挟まれるようにして押えられている構造である。９１は、ケーブル通しガイド部材９０のうち上側ハーフカバー部材７０、下側ハーフカバー部材８０よりもＹ１方向に突き出ている突き出し部分である。上側ハーフカバー部材７０、下側ハーフカバー部材８０、ケーブル通しガイド部材９０は、共に、亜鉛のダイキャスト部品である。
【００１７】
上側ハーフカバー部材７０は、Ｙ１側にＵ字形状の切欠部７１を有し、Ｙ２側のＸ１、Ｘ２側にＹ２方向に突き出た突起部７２，７３を有する。
【００１８】
下側ハーフカバー部材８０は、Ｙ１側にＵ字形状の切欠部８１を有し、Ｙ２側に枠部８２を有する。枠部８２よりＸ１、Ｘ２側に突起部８３，８４が突き出ている。８４はプルタブである。
【００１９】
ケーブル通しガイド部材９０は、図６に併せて示すように、Ｙ１側の背面壁部９２と、この背面壁部９２のＺ１側の端よりＹ２方向に迫り出した上側板部９３と、背面壁部９２のＺ２側の端よりＹ２方向に迫り出した下側板部９４とよりなり、Ｘ方向からみてＵ字形状をなしている。９５は上側板部９３と下側板部９４との間の空間である。
【００２０】
背面壁部９２は、Ｙ１方向に略Ｕ字形状に突き出ており、上記の突き出し部分９１に存在しており、Ｘ２からＸ１方向に順に、Ｙ１方向に延在する第４の壁部９２−１、Ｙ軸と直交してＸ１方向に延在する第１の壁部９２−１と、第１の壁部９２−１に対してＺ１側から見て時計方向に角度θ１をなす方向に延在する第２の壁部９２−２と、第２の壁部９２−２に対してＺ１側から見て時計方向に角度θ２をなす方向に延在する第３の壁部９２−３とよりなる。第１の壁部９２−１に第１のケーブル通し開口９６−１、第２の壁部９２−２に第２のケーブル通し開口９６−２、第３の壁部９２−３に第３のケーブル通し開口９６−３が形成してある。第１のケーブル通し開口９６−１の軸線９６−１ａは、Ｙ軸と一致している。第２のケーブル通し開口９６−２の軸線９６−２ａは、Ｚ１側から見て軸線９６−１ａ（Ｙ軸）に対して時計方向に角度θ１をなしている。第３のケーブル通し開口９６−３の軸線９６−３ａは、Ｚ１側から見て軸線９６−２ａに対して時計方向に角度θ２をなしており、軸線９６−１ａに対しては角度α（＝θ１＋θ２）をなしている。軸線９６−２ａはＶ２の方向、軸線９６−３ａはＶ３の方向である。Ｖ２、Ｖ３は、Ｙ１とＸ１との中間の方向である。即ち、背面壁部９２は屈曲している形状であり、且つ、第１、第２、第３のケーブル通し開口９６−１、９６−２、９６−３は異なる方向を向いている。
【００２１】
一端側平衡伝送用コネクタ４０は、第１、第２、第３の平衡伝送用ケーブル１００−１、１００−２、１００−３が第１、第２、第３のケーブル通し開口９６−１、９６−２、９６−３を通してあり、各平衡伝送用ケーブル１００−１、１００−２、１００−３の先端にコネクタ本体５０が接続してある構成のケーブル通しガイド部材９０を下側ハーフカバー部材８０のＵ字形状の切欠部８１に嵌合させて置き、上側ハーフカバー部材７０を、その突起部７２，７３を突起部８３，８４の下側に係止させ、上側ハーフカバー部材７０のＹ１側をねじ７５で下側ハーフカバー部材８０に固定することによって組み立てられる。
【００２２】
図４に示すように、コネクタ本体５０は、その絶縁ブロック５１を下側ハーフカバー部材８０と上側ハーフカバー部材７０との間に挟まれて固定されて、シールドカバー組立体６０のうちのＹ２側に収まっている。コネクタ本体５０のうちのＹ１側の部分及び平衡伝送用ケーブル１００−１、１００−２、１００−３の端の部分及び平衡伝送用ケーブル１００−１、１００−２、１００−３の端から延びている電線１０４が、ケーブル通しガイド部材９０の空間９５内に収まっている。
【００２３】
第１の平衡伝送用ケーブル１００−１は、第１のケーブル通し開口９６−１を通ってＹ１方向に延在している。第２の平衡伝送用ケーブル１００−２は、第２のケーブル通し開口９６−２を通ってＶ２方向に延在している。第３の平衡伝送用ケーブル１００−３は、第３のケーブル通し開口９６−３を通ってＶ３方向に延在している。
【００２４】
図８上記ケーブル通しガイド部材９０の変形例を示す。ケーブル通しガイド部材９０Ａは、一対のケーブル通し開口半体９７、９８を組み合わせてなる構成である。ケーブル通し開口半体９７、９８は、夫々半円形状のケーブル通し開口９６−１Ａａ，９６−１Ａｂを有する。この構造によれば、ケーブル通し開口半体９７、９８を組合わせることによって、円形のケーブル通し開口が形成されると共に各平衡伝送用ケーブルがケーブル通し開口内に支持されるため、平衡伝送用ケーブルを半円形状のケーブル通し開口に置いて別のケーブル通し開口半体をかぶせる作業を行えばよく、平衡伝送用ケーブルをケーブル通し開口に差し込む作業は不要となり、一端側平衡伝送用コネクタ４０を組み立てる作業はし易い。
【００２５】
次に、他端側平衡伝送用コネクタ１１０−１について説明する。他端側平衡伝送用コネクタ１１０−１は、図８及び図９に示すように、上側ハーフカバー部材１１１と下側ハーフカバー部材１１２とを組み合わせてなるシールドカバー組立体１１３の内部に、第１の平衡伝送用ケーブル１００−１の他端のプラグ型のコネクタ本体１１５が組み込まれている構造である。他の他端側平衡伝送用コネクタ１１０−２、１１０−３も、上記の他端側平衡伝送用コネクタ１１０−１と同じ構造である。
【００２６】
上記構成の平衡伝送用ケーブル付きコネクタ装置３０の一端側平衡伝送用コネクタ４０は、図２（Ｂ）に示すように、図３中、Ｘ２側を上側に向いた姿勢でボード２０上のコネクタ２０ａに嵌合されて接続される。これによって、第１の平衡伝送用ケーブル１００−１は一端側平衡伝送用コネクタ４０の背面より水平の向き、第２、第３の平衡伝送用ケーブル１００−２、１００−３は自然に斜め下を向く向きで延在しており、各平衡伝送用ケーブル１００−１、１００−２、１００−３は自然と接続されるべきボードの方向に延在する。よって、平衡伝送用ケーブル１００−１、１００−２、１００−３の配線ルートを決める作業が極めて簡単となる。また、平衡伝送用ケーブルを無理に曲げる必要がなく、よって、各平衡伝送用ケーブル１００−１、１００−２、１００−３には、過度な応力はかからない。
【００２７】
図１１は一端側平衡伝送用コネクタの第１の変形例である。一端側平衡伝送用コネクタ４０Ａは、図３に示す一端側平衡伝送用コネクタ４０とはシールドカバー組立体が相違する。シールドカバー組立体６０Ａは、上側ハーフカバー部材７０Ａと下側ハーフカバー部材８０Ａとが組み合わされた構造である。上側ハーフカバー部材７０Ａは、図５の上側ハーフカバー部材７０と図８のケーブル通し開口半体９７とが一体化してある構成であり、下側ハーフカバー部材８０Ａは、図５の下側ハーフカバー部材８０と図８のケーブル通し開口半体９８とが一体化してある構成である。シールドカバー組立体６０Ａの内部に、コネクタ本体５０、平衡伝送用ケーブル１００−１、１００−２、１００−３の端の部分及び平衡伝送用ケーブル１００−１、１００−２、１００−３の端から延びている電線１０４の部分が収まっている。
【００２８】
なお、図５に示す構造のシールドカバー組立体６０にあっては、上側ハーフカバー部材７０と、下側ハーフカバー部材８０と、ケーブル通しガイド部材９０とよりなる構造であるため、図１２乃至図１５に示すように、上側ハーフカバー部材７０及び下側ハーフカバー部材８０については部品を共通化し、ケーブル通しガイド部材について開口の数等を変えて複数種類準備しておくことによって、上記のように、平衡伝送用ケーブルの延在する本数、延在する方向等の異なる平衡伝送用ケーブル付きコネクタ装置を製造コストを低くして実現することが出来る。
【００２９】
図１２及び図１３の一端側平衡伝送用コネクタ４０Ｂは、図６に示すケーブル通しガイド部材９０に代えて、図１２に示すケーブル通しガイド部材９０Ｂを組み込んだ構造である。ケーブル通しガイド部材９０Ｂは、背面壁部が平面状であり、各ケーブル通し開口が同じ向きである。平衡伝送用ケーブル１００−１、１００−２、１００−３はシールドカバー組立体６０Ｂから平行に延在している。
【００３０】
図１３及び図１４の一端側平衡伝送用コネクタ４０Ｃは、図６に示すケーブル通しガイド部材９０に代えて、図１３に示すケーブル通しガイド部材９０Ｃを組み込んだ構造である。ケーブル通しガイド部材９０Ｃは、背面壁部が屋根形状であり、ケーブル通し開口が放射状に向いている。平衡伝送用ケーブル１００−１、１００−２、１００−３は、シールドカバー組立体６０Ｃの背面壁部から中心の平衡伝送用ケーブル１００−２を中心に左右対称に、全体として放射状に延在している。  また、ケーブル通しガイド部材の背面壁部の内側は、金属製の蓋部材が取り付けられるようになっており、例えば上記の実施例において、平衡伝送用ケーブルを二本だけ使用する場合に、残った一つの開口は、金属製の蓋部材によって塞がれ、シールドカバー組立体は良好にシールドされる。
【図面の簡単な説明】
【００３１】
【図１】従来の平衡伝送用ケーブル付きコネクタ装置を示す図である。
【図２】本発明の実施例１になる平衡伝送用ケーブル付きコネクタ装置を示す図である。
【図３】図２中の一端側平衡伝送用コネクタの斜視図である。
【図４】図３の一端側平衡伝送用コネクタのIV-IV線に沿う断面図である。
【図５】図３の一端側平衡伝送用コネクタの分解斜視図である。
【図６】図５中のケーブル通しガイド部材を示す図である。
【図７】図５中のコネクタ本体を分解して示す図である。
【図８】ケーブル通しガイド部材の変形例を示す図である。
【図９】図３の他端側平衡伝送用コネクタの分解斜視図である。
【図１０】図９の他端側平衡伝送用コネクタの断面図である。
【図１１】一端側平衡伝送用コネクタの第１の変形例を示す分解斜視図である。
【図１２】一端側平衡伝送用コネクタの第２の変形例を示す分解斜視図である。
【図１３】図１２中のシールドカバー組立体をその背面壁部側からみて示す図である。
【図１４】一端側平衡伝送用コネクタの第２の変形例を示す分解斜視図である。
【図１５】図１２中のシールドカバー組立体をその背面壁部側からみて示す図である。
【符号の説明】
【００３２】
３０  平衡伝送用ケーブル付きコネクタ装置
４０、４０Ａ，４０Ｂ，４０Ｃ  一端側平衡伝送用コネクタ
６０、６０Ａ，６０Ｂ，６０Ｃ  シールドカバー組立体
７０、７０Ａ  上側ハーフカバー部材
７１  切欠部
８０、８０Ａ  下側ハーフカバー部材
８１  切欠部
９０、９０Ａ，９０Ｂ，９０Ｃ  ケーブル通しガイド部材
９２  背面壁部
９３  上側板部
９４  下側板部
９６−１、９６−２、９６−３  ケーブル通し開口
９７、９８  ケーブル通し開口半体
１００−１〜１００−３  平衡伝送用ケーブル
１１０−１〜１１０−３  他端側平衡伝送用コネクタ
【図１】
2005190691.tif 000003
【図２】
2005190691.tif 000004
【図３】
2005190691.tif 000005
【図４】
2005190691.tif 000006
【図５】
2005190691.tif 000007
【図６】
2005190691.tif 000008
【図７】
2005190691.tif 000009
【図８】
2005190691.tif 000010
【図９】
2005190691.tif 000011
【図１０】
2005190691.tif 000012
【図１１】
2005190691.tif 000013
【図１２】
2005190691.tif 000014
【図１３】
2005190691.tif 000015
【図１４】
2005190691.tif 000016
【図１５】
2005190691.tif 000017